(57)【要約】      （修正有）【課題】車両の速度が低下しても変速機を再発進に必要な変速比（Ｌｏｗ側）に変更できる新規な車両の変速制御装置および変速制御方法の提供。【解決手段】クラッチ５を締結したモータ２走行中に車両が減速することによりモータ２の回転数が低下して変速機３を所定の変速比に移行するための油圧が得られなくなるときは、モータ２がその油圧を発生できる回転数以上の回転数を維持するようにクラッチ５を滑り締結状態にし、この滑り締結状態のときに所定の油圧によって変速機３の変速比をＬｏｗ側に変更する。これによって、車両の速度が低下してもモータ２の回転数を所定の回転数に維持して変速機３を制御するための油圧を充分に確保できるため、再発進に必要な変速比（Ｌｏｗ側）に確実に変更できる。【選択図】図１
2010190266.tif 000002
【特許請求の範囲】
【請求項１】
駆動力を発生するモータと、当該モータと駆動輪との間に位置する変速機と、前記モータと変速機を接続するクラッチを制御するクラッチ制御手段と、前記モータの回転力で発生する油圧によって前記変速機の変速比を制御する変速機制御手段とを有する車両の変速制御装置であって、
前記クラッチ制御手段は、前記クラッチを締結したモータ駆動中に車両が減速することにより前記モータの回転数が低下して前記変速機を所定の変速比に移行するための所定の油圧が得られなくなると判定したときは、前記クラッチを締結状態から滑り締結状態に移行し、
前記変速機制御手段は、前記クラッチが滑り締結状態に移行したときに前記所定の油圧によって前記変速機の変速比を現在よりも低い変速比へ変更することを特徴とする車両の変速制御装置。
【請求項２】
請求項１記載の車両の変速制御装置において、
前記クラッチ制御手段は、前記変速機の変速比を所定の変速比へ変更しているときに前記モータの回転数を上昇したときは、前記変速機が所定の変速比へ変速し終えるまでは前記クラッチが滑り締結状態を継続することを特徴とする車両の変速制御装置。
【請求項３】
モータと変速機とをクラッチで接続し、前記クラッチを制御すると共に前記モータの回転力で発生する油圧によって前記変速機を変速制御する車両の変速制御方法であって、
前記クラッチを締結したモータ駆動中に車両が減速することにより前記モータの回転数が低下して前記変速機を所定の変速比に移行するための所定の油圧が得られなくなると判定したときは、前記クラッチを締結状態から滑り締結状態に移行し、この滑り締結状態のときに前記所定の油圧によって前記変速機の変速比を現在よりも低い変速比へ変更することを特徴とする車両の変速制御方法。
【発明の詳細な説明】
【技術分野】
【０００１】
本発明は、モータの回転力によってポンプの油圧を発生し、その油圧によって変速機の変速比を変えるようにした車両の変速制御装置および変速制御方法に関する。
【背景技術】
【０００２】
従来のハイブリッド車は、エンジンとモータおよびモータと変速機との間にそれぞれクラッチを設けた構造となっている。そして、これらのクラッチの締結状態を適宜制御することでＥＶ走行（モータ走行）とＨＥＶ走行（ハイブリッド（モータ＋エンジン）走行）の切替および制動回生などの制御を行っている。
また、車速が減少した場合や停止する場合には、スムーズな加速や再発進を可能とするために、その減速中に予め変速機の変速比を現在の変速比よりもロー（Ｌｏｗ）側に変速するように制御している。例えば、以下の特許文献１では、車速が閾値よりも小さくなったり、変速比が充分加速できる減速比より小さいときには、変速機（ＣＶＴ）の変速比が減速比として大きくなるようにＣＶＴのインプットシャフトの目標回転数を設定する。そしてＣＶＴを油圧制御する際の油圧を発生させる電動オイルポンプを駆動することでＣＶＴの変速制御を行っている。
【先行技術文献】
【特許文献】
【０００３】
【特許文献１】特開２００６−７０２６５号公報
【発明の概要】
【発明が解決しようとする課題】
【０００４】
ところで、このようなハイブリッド車の変速機は、その入力軸に連結する駆動用モータの回転力で動作する油圧ポンプからの油圧によって変速動作を行う。
そのため、車両の速度低下により変速機の入力軸の回転数が減少してモータの回転力が減少すると、それに伴って前記油圧ポンプの油圧も減少する。
すると、変速機を動作するために必要な油圧が充分に確保できなくなってその変速機を再発進に必要な変速比（Ｌｏｗ側）まで変更できず、スムーズな加速や再発進ができないといった不都合がある。
そこで、本発明は、このような課題を解決するために案出されたものであり、その目的は、車両の速度が低下しても確実に変速機を再発進に必要な変速比（Ｌｏｗ側）に変更できる新規な車両の変速制御装置および変速制御方法を提供するものである。
【課題を解決するための手段】
【０００５】
前記目的を達成するために本発明は、駆動力を発生するモータと、そのモータと駆動輪との間に位置する変速機と、これらを接続するクラッチ制御手段と、前記変速機を制御する変速機制御手段とを有する車両の変速制御装置に関する。
クラッチ制御手段は、前記クラッチを締結したモータ走行中に車両が減速することにより前記モータの回転数が低下して前記変速機を所定の変速比に移行するための所定の油圧が得られるかどうかを判定する。そして、所定の油圧が得られなくなると判定したときは、前記モータが前記所定の油圧を発生できる回転数以上の回転数を維持するように前記クラッチを締結状態から滑り締結状態に移行する。
一方、変速機制御手段は、このようにクラッチが滑り締結状態に移行したときに前記の所定の油圧によって前記変速機の変速比を現在よりも低い変速比へ変更する。
【発明の効果】
【０００６】
本発明によれば、車両の速度が低下しても、モータの回転数を所定の回転数に維持することができる。これによって、変速機の変速比を変えるための油圧を充分に確保できるため、変速機を再発進に必要な変速比（Ｌｏｗ側）に確実に変更できる。
【図面の簡単な説明】
【０００７】
【図１】本発明に係るハイブリッド車１００およびこれに適用する変速制御装置（駆動制御装置）の実施の一形態を示す全体構成図である。
【図２】本発明に係る変速制御処理を示すブロック図である。
【図３】本発明に係る変速制御方法の流れの一例を示すフローチャート図である。
【発明を実施するための形態】
【０００８】
以下、本発明の制動力制御装置の実施の一形態を添付図面を参照しながら説明する。
（構成）
図１は、本発明の変速制御装置を備えたハイブリッド車両１００を示す全体構成図である。
図示するように、このハイブリッド車両１００は、エンジン１と、モータ２と、無段変速機（ＣＶＴ：Continuously Variable Transmission）３と、第１クラッチ４と、第２クラッチ５とを有する。さらに、このハイブリッド車両１００は、ハイブリッドコントローラ６と、ブレーキ踏力センサ７と、車速センサ８と、油圧ポンプ９と、駆動輪（タイヤ）１０，１０とを有する。
エンジン１は、ガソリンエンジンやディーゼルエンジンなどの内燃機関からなる。そして、このエンジン１は、ハイブリッドコントローラ６からの制御指令に基づいてドライバーのトルク要求（具体的にはアクセル開度）に応じて車両駆動のためのトルクを発生する。
【０００９】
モータ２は、ロータに永久磁石を埋設しステータにステータコイルを巻き付けた同期型モータジェネレータなどからなる。このモータ２は、同じくハイブリッドコントローラ６からの制御指令に基づいてインバータ（図示せず）により作り出された三相交流を印加することにより、ドライバーのトルク要求（具体的にはアクセル開度）に応じたトルクを出力する。そして、このモータ２は、トルク要求が低い場合は単独で駆動トルクを発生（ＥＶ走行）し、トルク要求が高い場合には、エンジン１の駆動トルクをアシスト（ＨＥＶ（ハイブリッド）走行）する。なお、このモータ２は、制動時にロータが外力により回転しているときには、ステータコイルの両端に起電力を生じさせる発電機として機能して図示しないバッテリを充電する（回生制動）。
【００１０】
また、このモータ２は、無段変速機（ＣＶＴ）３の変速比を制御するための油圧ポンプ９の駆動源としても機能する。
この油圧ポンプ９は、ハイブリッドコントローラ６からの制御指令に基づいて動作し、モータ２の回転力（駆動力）によって発生する油圧を調整することによって無段変速機（ＣＶＴ）３の変速比を制御する。また、この油圧ポンプ９は、ハイブリッドコントローラ６からの制御指令に基づいて同じくモータ２の回転力（駆動力）によって発生する油圧を調整することによって第１クラッチ４および第２クラッチ５を制御する。
【００１１】
無段変速機（以下、適宜「ＣＶＴ」と称す）３は、ハイブリッドコントローラ６からの制御指令に基づいて動作し、エンジン１およびモータ２のトルクを駆動輪１０，１０へと適切に伝達するようその変速比（プライマリとセカンダリ）を設定する。実際のトルク伝達は、第２クラッチ５介して接続した入力軸（プライマリ軸）３ａから出力軸（セカンダリ軸）３ｂへとトルクを伝え、図示しないディファレンシャルギアを介して駆動輪１０，１０に伝達する。
【００１２】
第１クラッチ４は、エンジン１とモータ２との間に介装した油圧式単板クラッチなどからなる。この第１クラッチ４は、ハイブリッドコントローラ６からの制御指令に基づいて動作し、エンジン１とモータ２との間のトルク伝達を制御する。そして、例えばＥＶ走行時にはその締結を解除し、ＨＥＶ走行時およびエンジン１のトルクのみでの走行時には締結状態となり、エンジン始動時には滑り締結（スリップ）状態となる。
【００１３】
第２クラッチ５は、ハイブリッドコントローラ６からの制御指令に基づいて動作し、モータ２とＣＶＴ３との間のトルク伝達を制御する。そして、後に詳述するように通常走行（ＥＶ走行またはＨＥＶ走行）しているときや回生制動中には（一部の場合を除いて）締結状態となるが、充電中や減速中には開放状態（非締結）または滑り締結（スリップ）状態となる。
【００１４】
駆動輪（タイヤ）１０，１０は、ＣＶＴ３の入力軸３ａから駆動力を得てエンジン１およびモータ２のトルクをＣＶＴ３を介して路面へと伝達する機能を有する。また、減速時および回生制動時には運動エネルギー（慣性力）をＣＶＴ３を介してモータ２へと伝達する機能を有する。
ブレーキ踏力センサ７は、ドライバー操作によるブレーキ踏力を検出するものであり、検出した情報をハイブリッドコントローラ６に伝える機能を有する。
一方、車速センサ８は、図示しない前輪の回転数などに基づいて車両の速度を検出するものであり、検出した情報をハイブリッドコントローラ６に伝える機能を有する。
そして、ハイブリッドコントローラ６は、これらブレーキ踏力センサ７および車速センサ８の情報に基づいてＣＶＴ３の変速比の制御および第２クラッチ５のトルク容量などを制御する。
【００１５】
（作用）
次に、このような構成をしたハイブリッド車両１００の変速制御装置による制御方法を図２の制御ブロック図および図３のフローチャート図を参照しながら説明する。
（ステップＳ１）
先ず、ハイブリッドコントローラ６は、最初のステップＳ１において、ブレーキ踏力センサ７からの実ブレーキ踏力に関する入力信号に基づいてＥＶ走行中にブレーキが踏まれたか否かを判定する。この結果、ブレーキが踏まれていないと判定したとき（Ｎｏ）はそのままブレーキが踏まれるまで待機する。反対にブレーキが踏まれたと判定したとき（Ｙｅｓ）は、次のステップＳ３に移行する。
【００１６】
（ステップＳ３）
ステップＳ３では、この実ブレーキ踏力値とそのときに車速センサ８で検出した実車速値に基づいて目標減速度を得てから次のステップＳ５に移行する。なお、この目標減速値は車速とブレーキ踏力に対して予め規定しておく。
（ステップＳ５）
ステップＳ５では、その時刻におけるモータ２の回転数とＣＶＴ３の変速比と目標（指令）減速度とから、車速とモータ回転数とポンプ発生油圧とＣＶＴ３の変速速度とＣＶＴ３の変速比の時間的推移を計算し予測（各特性データから計算）してから次のステップＳ７に移行する。
【００１７】
（ステップＳ７）
ステップＳ７では、予測したこれらのパラメータの時間的推移において車速０（零）になる（停止する）時刻におけるＣＶＴ３の変速比が、再発進に必要な変速比までロー（Ｌｏｗ）変速できるかを判定する（Ｌｏｗ戻し可否判定）。この結果、再発進に必要な変速比までロー変速できると判定したとき（Ｙｅｓ）は、そのまま処理を終了する。反対に、再発進に必要な変速比までロー変速できないと判定したとき（Ｎｏ）は、そのまま次のステップＳ９に移行する。
【００１８】
（ステップＳ９）
ステップＳ９では、減速しながらＣＶＴ３の変速に用いる油圧を確保するために、モータ２が前記ステップＳ５で予測したモータ回転数の時間的推移より高回転で推移するように規定してから最後のステップＳ１１に移行する。このとき、ＣＶＴ３の入力軸３ａ回転数はモータ回転数と等しくなければならないという制約条件を除外して規定する。
【００１９】
（ステップＳ１１）
ステップＳ１１では、前記ステップＳ７におけるＬｏｗ戻し可否判定と同様の計算方法で車速０になる（停止する）時刻におけるＣＶＴ３の変速比が再発進に必要な変速比までＬｏｗ変速できるようなモータ回転数の時間的推移を規定する。併せてＣＶＴ３の入力軸３ａ回転数の時間的推移も規定する。これら２つから第２クラッチ５の差回転の時間的推移を計算する。走行中にブレーキが踏まれ、Ｌｏｗ戻し可否判定で不可となった場合は、この第２クラッチ５の差回転の時間的推移の通りに差回転を発生させられるよう、第２クラッチ５の油圧をフォードバック制御して滑らせる。また、モータ２は規定した通りの時間的推移するよう、回転数フィードバック制御する。
【００２０】
これにより、急減速時および急停止時にＣＶＴ３の変速比を再加速または再発進にひつようなところまでＬｏｗ側に変更し終えるまで変速のための油圧ポンプ９の油圧を確保することができ、次回発進時の確実性と加速性能が向上する。
また、ＣＶＴ３の変速比がＬｏｗ側寄りであるほど、ＣＶＴ入力限界トルクには余裕が出るという特性があるので本実施の形態のような変速制御を適用することにより、第２クラッチ５にかかる発進時負担を軽減できるため、第２クラッチ５の保護につながる。
【００２１】
また、車両停止前までにその変速比を確実にＬｏｗ戻しすることにより、停車中に車軸に回転を与えずにＬｏｗ戻しを行う目的でＣＶＴ３より車軸側にクラッチを設置する必要がなくなり、コスト低減も可能となる。
また、次回の発進時初期や加速時初期に充分なトルクを駆動輪１０，１０に伝達できるので発進や加速の応答性が向上する。
【００２２】
なお、本実施の形態では、エンジン１とモータ２とによって駆動するハイブリッド車を例に説明したが、本発明はこのようなハイブリッド車に限定されるものではない。すなわち、駆動源としてのモータ２の他に、そのモータ２によって駆動される油圧ポンプ９と、その油圧ポンプ９によって変速制御されるＣＶＴ３と、このＣＶＴ３に対してモータ２の駆動力を伝達するためのクラッチ（第２クラッチ５）を有する構成であれば、例えば燃料電池車やモータ自動車などの他の車両に対してもそのまま適用することが可能である。
【００２３】
また、ＣＶＴ３の入力軸３ａの回転数をモータ２のアシストで引き上げて変速速度を速める場合、モータ２とのアシストに対してＣＶＴ３の変速速度が追いつかないと車両が加速してしまうことになる。しかし、本実施の形態に係る変速制御によれば、このような場合にも第２クラッチ５のトルク伝達容量を下げて第２クラッチ５を滑らせて加速を抑えつつ必要な油圧が得られるため、確実にその変速比をＬｏｗ側に変更することができる。これによって、減速中の加減速度変化による違和感を防止できるので運転性が向上する。
【００２４】
また、前記課題を解決するための手段に開示した本発明の変速制御装置を構成する「クラッチ制御手段」は、本実施の形態におけるハイブリッドコントローラ６や油圧ポンプ９、モータ２などに対応する。また、同じく「変速機制御手段」は、本実施の形態におけるハイブリッドコントローラ６や油圧ポンプ９、モータ２などに対応する。また、「クラッチ」は、本実施の形態における第２クラッチ５に対応する。
【００２５】
（効果）
次に、本実施の形態の効果を説明する。
本実施の形態による変速制御装置および変速制御方法によれば、以下のような効果を発揮する。
（１）モータ走行中に車両が減速することによりモータ２の回転数が低下してＣＶＴ３を所定の変速比に移行するための所定の油圧が得られなくなると判定したときは、第２クラッチ５を締結状態から滑り締結状態にする。そして、この滑り締結状態のときに前記所定の油圧によってＣＶＴ３の変速比を現在よりも低い変速比へ変更する。
これによって、車両の速度が低下しても、モータ２の回転数を所定の回転数に維持することができる。この結果、ＣＶＴ３の変速比を制御するための油圧を充分に確保できるため、ＣＶＴ３を再発進に必要な変速比（Ｌｏｗ側）に確実に変更できる。
【００２６】
（２）また、第２クラッチ５が滑り締結状態のときにＣＶＴ３の変速比を所定の変速比へ変更するためにモータ２の回転数を上昇したときは、ＣＶＴ３が所定の変速比へ変速し終えるまでは第２クラッチ５が滑り締結状態を継続する。
これによって、車速に対してモータ２の回転数が高くなっても第２クラッチ５が回転差を吸収してくれるので車両の減速度が変化するのを抑制できる。この結果、運転者に与える違和感を軽減することができる。
【符号の説明】
【００２７】
１００…ハイブリッド車両
１…エンジン
２…モータ
３…変速機（ＣＶＴ）
３ａ…入力軸（プライマリプーリ）
３ｂ…出力軸（セカンダリプーリ）
４…第１クラッチ
５…第２クラッチ（クラッチ）
６…ハイブリッドコントローラ（クラッチ制御手段、変速制御手段）
７…ブレーキ踏力センサ
８…車速センサ
９…油圧ポンプ
１０…駆動輪（タイヤ）
【図１】
2010190266.tif 000003
【図２】
2010190266.tif 000004
【図３】
2010190266.tif 000005